(57)【特許請求の範囲】
【請求項１】
ディスク状の感光性記録媒体と、前記感光性記録媒体を回転自在に収容すると共に前記感光性記録媒体の中心と記録面とを外部に露呈させる第１の開口を有するカートリッジ本体と、前記カートリッジ本体の外側に取り付けられ前記第１の開口に対面して前記感光性記録媒体の中心と記録面とを外部に露呈させる第２の開口を有する遮光板と、前記カートリッジ本体と前記遮光板との間に組み込まれて前記第１の開口を閉じる閉じ位置と前記第１の開口を開放する開き位置との間で移動自在に配設され前記第１の開口及び前記第２の開口よりも大きな外形を有するシャッタと、を備える感光性記録媒体用カートリッジであって、
前記シャッタは、前記第１の開口を開閉するシャッタ部材と、前記シャッタ部材に固着されて前記シャッタ部材から前記シャッタの閉じ方向に延設されたスライド部材とからなり、前記シャッタには、前記感光性記録媒体用カートリッジの挿入方向の前面に、前記シャッタの端面から中心に向かうに従って次第に幅が狭まる略ハの字形に形成され、記録再生装置のシャッタ開放部材を案内する溝部と、前記溝部の底面から立設されて前記前面より前記挿入方向前方に突出して形成され、前記シャッタ開放部材が係合する係止部とが形成され、前記溝部及び前記係止部が、前記スライド部材の前面端部に形成されていることを特徴とする感光性記録媒体用カートリッジ。
【請求項２】
前記遮光板が、前記カートリッジ本体の一方の面に対面する第１の板部と、前記カートリッジ本体の他方の面に対面する第２の板部と、前記第１の板部と前記第２の板部とを連設させ、前記カートリッジ本体の挿入方向を覆う第３の板部とを有し、前記第３の板部に、前記シャッタが前記開き位置に移動したときに前記係止部の移動範囲を得るための切欠が形成されていることを特徴とする請求項１に記載の感光性記録媒体用カートリッジ。
【請求項３】
前記感光性記録媒体は、ホログラム記録媒体であることを特徴とする請求項１又は２に記載の感光性記録媒体用カートリッジ。
【発明の詳細な説明】
【技術分野】
【０００１】
本発明は、感光性記録媒体を収容する感光性録媒体用カートリッジに関し、特に、カートリッジ本体に設けられた開口を開閉するシャッタと、シャッタの外側に配設された遮光板とを備えた感光性記録媒体用カートリッジの改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、および該開口を開閉するシャッタを備えたカートリッジ（例えば、特許文献３参照）や、シャッタの外側にさらに遮光板（シャッタカバー）を備えたカートリッジが知られている（例えば、特許文献４参照）。
【０００４】
特許文献１記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００５】
特許文献２記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００６】
特許文献３記載の発明は、主に光磁気ディスクを収容することを目的としたカートリッジであるが、シャッタからシャッタ閉じ方向に延設された延設部に開放駆動用凹部が設けられたカートリッジが記載されている。具体的には、図９に示すように、カートリッジ１００は、開口１０３が形成されたカートリッジ本体１０１内に記録媒体１０２が回動自在に収容されている。カートリッジ本体１０１の外側には、シャッタ１０４がスライド自在に配置されて開口１０３を開閉する。カートリッジ本体１０１の前端面を覆うシャッタ１０４の先端部には、シャッタ１０４の閉じ方向に延びる延設部１０４ｂが設けられている。延設部１０４ｂに形成された凹溝１０４ａには、記録再生装置に配設されたシャッタ開放部材（図示せず）が係合してシャッタ１０４を矢印Ｙ方向に移動させて開閉する。
【０００７】
また、特許文献４記載の発明は、シャッタと、シャッタに固着されたスライド部材と、シャッタの外側に設けられた遮光板とを備え、スライド部材を介してシャッタを開閉するカートリッジについて記載されている。
【０００８】
【特許文献１】特開２００４―０２９４７６号公報
【特許文献２】特開２００３―３１７４２２号公報
【特許文献３】特開平７―２１０９１２号公報
【特許文献４】特開２００１―２１６７５４号公報
【発明の開示】
【発明が解決しようとする課題】
【０００９】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光構造、防塵構造及び開閉機構に関する記載がない。
【００１０】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。また、シャッタ開閉機構については、言及されていない。さらに、特許文献２記載のカートリッジは、遮光板を備えておらず、遮光性の点で改善の余地があった。また、シャッタが直接外部に露出しているので、シャッタが誤って開放されたり、大きな外力が作用した場合にシャッタが変形することがあり、ホログラム記録媒体が感光して使用できなくなる可能性があった。
【００１１】
特許文献３に記載のカートリッジ１００は、遮光板を備えておらず、特許文献２記載のカートリッジと同様に遮光性の問題があり、感光性記録媒体を収容するカートリッジとしては不十分であった。この問題を解決するために、カートリッジ１００に図９中に破線で示す遮光板１０５を設けると、シャッタ１０４が開かれたとき、凹溝１０４ａが遮光板１０５で隠される位置となる。即ち、シャッタ１０４は、凹溝１０４ａが遮光板１０５の端縁１０５ａと一致する位置までしか移動させることができず、遮光板１０５が障害となってシャッタ１０４の移動距離が制限されてストロークを大きくすることができず、シャッタ１０４による開口１０３の開閉に支障が生じる点で改善の余地があった。
【００１２】
単に、遮光板１０５との干渉をなくしてシャッタ１０４の移動距離を大きくするだけであれば、遮光板１０５の前面１０５ｂに切欠１０５ｃを設けて干渉を回避することは可能ではある。しかし、切欠１０５ｃが開口１０３の近くまで形成されると遮光性能が低下してしまい、記録媒体１０２がホログラム記録媒体などの感光性記録媒体である場合、好ましくない。
【００１３】
一方、シャッタ１０４の面積を広げ、開口１０３との重なり量を大きくして遮光性を向上させることが望ましいが、このようにするとシャッタ１０４の必要移動距離が大きくなる。従って、遮光性能の向上と、シャッタ１０４の移動距離とは相反し、両立させることが困難である。
【００１４】
また、記録再生装置のシャッタ開放部材が係合する凹溝１０４ａは、シャッタ１０４の延設部１０４ｂを切欠いただけのものであり、シャッタ開放部材との係合面積が不足して確実な係合が得られない可能性があった。特に、シャッタ１０４の開閉を滑らかにするため、シャッタ開放部材が回動可能なローラで構成される場合、直径が大きくなる傾向があり、係合面積が不足する可能性が大きくなる。
【００１５】
さらに、凹溝１０４ａは、シャッタ開放部材との係合時にシャッタ開放部材の板厚方向の位置を規制する機構を備えておらず、シャッタ開放部材が板厚方向にずれて凹溝１０４ａから外れてシャッタの開閉が行われなくなることがあった。
【００１６】
特許文献４記載のカートリッジは、遮光板を備えると共に、シャッタ操作部が設けられたスライド部材をシャッタに固着している。これにより、シャッタ操作部を遮光板から離間させて配置し、シャッタの移動距離を確保するようになっているが、スライド部材の形状、開閉機構などが具体的に記載されておらず、シャッタ開放部材とスライド部材との係合が不十分となる可能性があった。
【００１７】
本発明は、上記事情に鑑みてなされたもので、その目的は、シャッタの外側に遮光板を配置して遮光性の向上を図ると共に、遮光板の設置によるシャッタ移動距離の制約を排除し、さらに、シャッタ開放部材とシャッタとを確実に係合させるようにして、容易且つ確実にシャッタを開閉することができる感光性記録媒体用カートリッジを提供することにある。
【課題を解決するための手段】
【００１８】
本発明の上記目的は、下記観光性記録媒体用カートリッジによって達成される。
（１）ディスク状の感光性記録媒体と、前記感光性記録媒体を回転自在に収容すると共に前記感光性記録媒体の中心と記録面とを外部に露呈させる第１の開口を有するカートリッジ本体と、前記カートリッジ本体の外側に取り付けられ前記第１の開口に対面して前記感光性記録媒体の中心と記録面とを外部に露呈させる第２の開口を有する遮光板と、前記カートリッジ本体と前記遮光板との間に組み込まれて前記第１の開口を閉じる閉じ位置と前記第１の開口を開放する開き位置との間で移動自在に配設され前記第１の開口及び前記第２の開口よりも大きな外形を有するシャッタと、を備える感光性記録媒体用カートリッジであって、
前記シャッタは、前記第１の開口を開閉するシャッタ部材と、前記シャッタ部材に固着されて前記シャッタ部材から前記シャッタの閉じ方向に延設されたスライド部材とからなり、前記シャッタには、前記感光性記録媒体用カートリッジの挿入方向の前面に、前記シャッタの端面から中心に向かうに従って次第に幅が狭まる略ハの字形に形成され、記録再生装置のシャッタ開放部材を案内する溝部と、前記溝部の底面から立設されて前記前面より前記挿入方向前方に突出して形成され、前記シャッタ開放部材が係合する係止部とが形成され、前記溝部及び前記係止部が、前記スライド部材の前面端部に形成されていることを特徴とする感光性記録媒体用カートリッジ。
（２）前記遮光板が、前記カートリッジ本体の一方の面に対面する第１の板部と、前記カートリッジ本体の他方の面に対面する第２の板部と、前記第１の板部と前記第２の板部とを連設させ、前記カートリッジ本体の挿入方向を覆う第３の板部とを有し、前記第３の板部に、前記シャッタが前記開き位置に移動したときに前記係止部の移動範囲を得るための切欠が形成されていることを特徴とする請求項１に記載の感光性記録媒体用カートリッジ。
（３）前記感光性記録媒体は、ホログラム記録媒体であることを特徴とする上記（１）又は（２）に記載の感光性記録媒体用カートリッジ。
【００１９】
上記構成の感光性記録媒体用カートリッジによれば、シャッタの前面に、シャッタの端面から中心に向かうに従って次第に幅が狭まる略ハの字形の溝部と、溝部の底面から立設されて前面より挿入方向前方に突出して形成された係止部と、を備えたので、溝部に嵌合するシャッタ開放部材は、略ハの字形の溝部に案内されてカートリッジの板厚方向の位置が規制され、確実に係止部と係合する。これにより、シャッタ開放部材とシャッタとの間に相対的に多少ずれが生じても係止部との係合が確保されてシャッタを確実に開閉することができる。
【００２０】
また、カートリッジからの係止部の突出量を最小寸法にし、且つシャッタ開放部材と係合する係止部の係合面を広く形成することができる。さらに、係止部を遮光板からシャッタの閉じ方向に大きく離間したシャッタの端部に形成することで、シャッタの移動距離を遮光板に制約されることなく大きくすることかできる。これにより、シャッタおよび遮光板の面積を広げてシャッタにより開口を十分に覆うことができ、遮光性を向上させることができる。
【００２２】
また、上記構成によれば、シャッタがシャッタ部材とスライド部材とから構成されており、溝部および係止部は、スライド部材の前面端部に形成されているので、溝部にシャッタ開放部材が嵌合したとき、溝部のハの字形部でシャッタ開放部材の位置を規制すると共に、係止部の係合面を広く形成して、シャッタ開放部材を係止部に確実に係合させることができる。さらに、シャッタの移動距離が遮光板によって制約されることがなく、シャッタのストロークを大きくすることができる。
【００２４】
上記構成の感光性記録媒体用カートリッジによれば、ホログラム記録媒体を感光させることなく、且つ清浄な状態でカートリッジ本体内に保持し、且つ容易にシャッタを開閉することができる。
【発明の効果】
【００２５】
本発明の感光性記録媒体用カートリッジによれば、シャッタの外側に遮光板を配置して遮光性の向上を図ると共に、遮光板の設置によるシャッタ移動距離の制約を排除し、さらに、シャッタ開放部材とシャッタとを確実に係合させるようにして、容易且つ確実にシャッタを開閉することができる感光性記録媒体用カートリッジを提供することができる。
【発明を実施するための最良の形態】
【００２６】
以下、本発明の実施形態を図面に基づいて詳しく説明する。図１は本発明の実施形態であるホログラム記録媒体用カートリッジ（以下、カートリッジと省略する）の一方の面を上方にした状態を示す斜視図、図２はシャッタが開き位置にあり、ディスク収容部に円板形状のホログラム記録媒体（以下、記録ディスクと称する）が回転自在に収容された状態を示す斜視図である。
【００２７】
図１および図２に示すように、カートリッジ２は、このカートリッジを取り扱うホログラム記録装置等に対し、矢印Ｃ方向から装填される。カートリッジ２のディスク収容部３内に回転自在に収容される記録ディスク４は、中心部に穴をあけてディスク状にしたホログラム記録ディスクであり、両面にホログラム記録層が設けられている。
【００２８】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００２９】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００３０】
図２に示すように、シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００３１】
図３はカートリッジの構成を示す分解斜視図、図４はカートリッジの要部拡大斜視図、図５は図４におけるＶ−Ｖ矢視断面図、図６はカートリッジの装填方向の断面図であり、（Ａ）は全体図、（Ｂ）は（Ａ）の端縁部の拡大図、図７はスライド部材の要部拡大斜視図である。
【００３２】
図３に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図６（Ｂ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００３３】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００３４】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３５】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００３６】
図３および図６に示すように、第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００３７】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００３８】
図３および図４に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３９】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００４０】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図４および図６に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００４１】
図３に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４２】
遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２５ａ,２６ａに押圧されながら、各ピン５０の先端が熱で潰されることによりカートリッジ本体１１に固着される。
【００４３】
これにより、遮光板１２の各屈曲部１２ｄの先端は、それぞれ段差部２５ｄ,２６ｄに対向して位置すると共に、遮光板１２の弾性力により遮光板取付面２５ａ,２６ａに押圧されて隙間なく当接する。即ち、遮光板１２の外周端部（各屈曲部１２ｄの先端）と遮光板取付面２５ａ,２６ａは隙間がない状態で密着する。さらに、遮光板１２の外周端部は、段差部２５ｄ,２６ｄにより覆われるので、例え、部品精度誤差などに起因して部分的に隙間があっても確実に光の回り込みを防止して遮光する。
【００４４】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４５】
図３に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４６】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４７】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００４８】
スライド部材５６は、カートリッジ２の装填方向の前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４９】
図４、図５および図７に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００５０】
スライド部材５６の前面５６ｇのシャッタ閉じ方向の端部には、端面５６ｈから中心に向かうに従って次第に幅Ｗが狭まる略ハの字形に形成され、深さＤ１の係合溝５６ｅが設けられている。係合溝５６ｅの奥側には、シャッタ１３を開く際に操作される係止部５６ｄがスライド部材５６の前面５６ｇよりもカートリッジ２の挿入方向前方に高さＤ２だけ突出して形成されている。また、カートリッジ本体１１のシャッタ閉じ側の側端壁１１ａの前端角部は、係合溝５６ｅの深さＤ１と同じ深さＤ１で略コの字形に切り欠かれた凹部１１ｂが形成されており、スライド部材５６がカートリッジ本体１１に組み付けられたとき、凹部１１ｂの底面は、係合溝５６ｅの底面５６ｆと同一面となる。
【００５１】
略ハの字形に形成された係合溝５６ｅの幅Ｗは、最も狭い奥側において、後述するシャッタ開放部材であるシャッタ開閉ローラ４３の幅より僅かに広くなっている。また係止部５６ｄの係合高さ（係合溝５６ｅの底面５６ｆから係止部５６ｄの先端までの高さ、Ｄ１+Ｄ２）は、シャッタ開閉ローラ４３の直径と略同じ高さとなっている。シャッタ開閉ローラ４３の直径および幅は、例えば、それぞれΦ４ｍｍ、２ｍｍである。
【００５２】
この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり（図２参照）、シャッタ１３の移動距離が不足して内部開口１８,１９を開放できない場合に形成することにより移動距離の拡大が図られる。
【００５３】
遮光性の観点からは、切欠４０を設けないことが望ましい。また、切欠４０を設ける場合でも、切欠４０の端縁４０ａは、内部開口１８,１９の縁部１８ａ、１９ａからシャッタ閉じ方向にできるだけ離間させて形成するようにして遮光性を阻害しない配慮が必要である。
【００５４】
シャッタ１３は、シャッタバネ５９により付勢されている。シャッタバネ５９は、例えば、捩じりコイルバネからなり、その両端は、スライド部材５６と、第１シェル２５の内面とに係止されている。
【００５５】
次に、シャッタの開放動作につき図８に基づいて説明する。図８はカートリッジとシャッタ開放部材の関係を示す概略平面図である。図８に示すように、記録再生装置６０は、装填されるカートリッジ本体１１の右側端壁１１ａよりも右側に配置された支点ピン４１を中心として回動自在に配設されたシャッタアーム４２を備える。シャッタアーム４２は、その先端にシャッタ開放部材であるシャッタ開閉ローラ４３が回動自在に設けられると共に、支点ピン４１に嵌合するねじりコイルバネ４４の一端が係止されて反時計方向に付勢されて、ストッパ４５に当接する待機位置にある。
【００５６】
シャッタ開閉ローラ４３の幅は、係合溝５６ｅの最も狭い奥側の幅Ｗより僅かに狭くなっている。また、待機位置におけるシャッタ開閉ローラ４３は、挿入されるカートリッジ２の右側端壁１１ａより僅かにカートリッジ２の中心側にオフセットされ、且つ板厚方向で係合溝５６ｅ（凹部１１ｂ）に対応する位置に配置されている。
【００５７】
これにより、カートリッジ２が矢印Ｃ方向に挿入されると、シャッタ開閉ローラ４３は凹部１１ｂおよび係合溝５６ｅに嵌合すると共に、凹部１１ｂの底面と係合溝５６ｅの底面５６ｆとで構成される平面に当接する。さらにカートリッジ２が挿入されると、シャッタアーム４２はカートリッジ２に押圧され、ねじりコイルバネ４４の弾性力に抗して時計方向に回動する。このときシャッタ開閉ローラ４３は、嵌合する係合溝５６ｅによって案内されて図８の紙面に直交する方向の位置が規制されて、図中左方向（カートリッジ２の中心方向）に移動して係止部５６ｄに当接し、係止部５６ｄを介してシャッタ１３を図中左方向に押圧してシャッタ１３を開く。
【００５８】
シャッタ開閉ローラ４３と係合する係止部５６ｄの実質高さ（係合高さ）は、係合溝５６ｅの深さＤ１と、係止部５６ｄの高さＤ２との合計（Ｄ１＋Ｄ２）となる。従って、カートリッジ２からの突出量Ｄ２を高くすることなく、係止部５６ｄの係合高さ（Ｄ１＋Ｄ２）を高くして係合面を広くすることができ、シャッタ開閉ローラ４３は確実に係合する。
【００５９】
シャッタ開閉ローラ４３の直径が小さいほど係止部５６ｄの係合高さ（Ｄ１＋Ｄ２）も小さくすることができるが、強度や滑らかな回転を得るためにはシャッタ開閉ローラ４３の実用的な最小直径は、略４ｍｍ程度が必要である。従って、係止部５６ｄの係合高さ（Ｄ１＋Ｄ２）も４ｍｍ程度が必要となる。
【００６０】
係合溝５６ｅの深さＤ１を２ｍｍとすれば、係止部５６ｄの突出量Ｄ２は２ｍｍでよい。これにより、突出量Ｄ２を小さくしてカートリッジ２の小型化を図ると共に、突出する係止部５６ｄが不用意に他の部位と干渉してカートリッジ２に損傷を与えることが防止される。
【００６１】
また、係合溝５６ｅの幅Ｗは、カートリッジ２の右側端壁１１ａでシャッタ開閉ローラ４３の幅よりも広くなっており（例えば、３ｍｍ）、カートリッジ２の中心に向かうに従って次第に幅が狭くなる略ハの字形に形成されているので、シャッタ開閉ローラ４３の位置が多少カートリッジ２の板厚方向にずれていても、容易に係合溝５６ｅに嵌合する。さらに、シャッタ開閉ローラ４３が係止部５６ｄ方向に移動するのに伴って、略ハの字形の係合溝５６ｅで板厚方向の位置が矯正されながら移動し、係止部５６ｄに当接してシャッタ１３を開放する。
【００６２】
上記説明においては、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００６３】
さらに、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。また、シャッタのロック機構を持たないカートリッジを例に脱明したが、ロック機構を配備したカートリッジとすることもでき、この場合には不用意なシャッタの開放による感光性記録媒体の感光が防止できるので好ましい。
【図面の簡単な説明】
【００６４】
【図１】本発明を実施したカートリッジの外観形状を示す斜視図である。
【図２】カートリッジのシャッタ開放状態を示す外観斜視図である。
【図３】カートリッジの構成を示す分解斜視図である。
【図４】カートリッジの要部拡大斜視図である。
【図５】図４におけるＶ−Ｖ矢視断面図である。
【図６】カートリッジの装填方向の断面図であり、（Ａ）は全体図、（Ｂ）は端縁部の拡大図である。
【図７】スライド部材の要部拡大斜視図である。
【図８】カートリッジとシャッタ開放部材の関係を示す概略平面図である。
【図９】従来のカートリッジの斜視図である。
【符号の説明】
【００６５】
２           カートリッジ（感光性記録媒体用カートリッジ）
４           記録ディスク（感光性記録媒体、ホログラム記録媒体）
４ａ         感光性記録媒体の中心
４ｂ         感光性記録媒体の記録面
１１         カートリッジ本体
１２         遮光板
１３         シャッタ
１４         外部開口（第２の開口）
１５         外部開口（第２の開口）
１８         内部開口（第１の開口）
１９         内部開口（第１の開口）
４３         シャッタ開閉ローラ（シャッタ開放部材）
５５         シャッタ部材
５６         スライド部材
５６ｄ       係止部
５６ｅ       係合溝（溝部）
５６ｆ       底面
５６ｇ       前面
５６ｈ       端面
６０         記録再生装置
Ｗ           幅
【図１】
0004557837.tif 000002
【図２】
0004557837.tif 000003
【図３】
0004557837.tif 000004
【図４】
0004557837.tif 000005
【図５】
0004557837.tif 000006
【図６】
0004557837.tif 000007
【図７】
0004557837.tif 000008
【図８】
0004557837.tif 000009
【図９】
0004557837.tif 000010